(57)【要約】      （修正有）【課題】水素ガスを皮膚又は人体の内部に供給して、刺激性がなく、優れた拡散力を有し、反応が有害な副生成物を生じない等の利点を有する水素ガスによって、健康、疾患改善の用途を達成可能な、水素を生成する配合を含む通気層を提供する。【解決手段】水素生成配合を包み、外側が不通気性で、内側が通気性であり、内側の表面が複数の細孔を有し、単層または複合層である薄層１１、及び散逸しないように前記薄層に包まれ、空気の中の水分または液体水を吸収して、水素ガスを生成する水素生成配合を含有する水素ガス供給通気層１を提供する。前記水素ガスは前記複数の細孔を通して、肌や人体の内部へ放出する。前記水素生成配合は金属過酸化物、金属水酸化物、または金属水素化物及びアルミニウム粉やシリカ粉末を含む。前記通気層は外用シートまたは他の衛生用品に使用可能であり、無菌性炎症の改善及び他の健康効果を有する。【選択図】図１
2020116367.tif 000002
【特許請求の範囲】
【請求項１】
水素生成配合を包み、外側が不通気性で、内側が通気性であり、内側の表面が複数の細孔を有し、単層または複合層である薄層を含有し、
前記水素生成配合は散逸しないように前記薄層に包まれ、空気の中の水分または液体水を吸収して、水素ガスを生成し、
前記水素ガスは前記複数の細孔を通して、肌や人体の内部へ放出する、
水素ガス供給通気層。
【請求項２】
前記薄層の内側の材質は、シリカゲル、不織布、またはプラスチック通気性フィルムである請求項１に記載の通気層。
【請求項３】
前記薄層の外側の材質は、ポリプロピレン、ポリエチレンプラスチックフィルム、アルミニウム膜、または複合膜である請求項１に記載の通気層。
【請求項４】
前記水素生成配合は、粉末状や顆粒状である請求項１に記載の通気層。
【請求項５】
前記水素生成配合は、金属過酸化物、金属水酸化物、または金属水素化物及びアルミニウム粉やシリカ粉末を含む請求項１に記載の通気層。
【請求項６】
重量比は、金属過酸化物または金属水酸化物：アルミニウム粉＝１：１００〜１００：１であり、好ましくは１：１０〜１０：１である請求項５に記載の通気層。
【請求項７】
前記金属過酸化物は過酸化カルシウム、過酸化マグネシウム、過酸化ナトリウム、過酸化カリウムからなる群から選択される請求項５に記載の通気層。
【請求項８】
前記金属水酸化物は水酸化カルシウム、水酸化マグネシウム、水酸化ナトリウム、水酸化カリウムからなる群から選択される請求項５に記載の通気層。
【請求項９】
前記金属水素化物は水素化マグネシウム、水素化カルシウム、水素化ケイ素からなる群から選択される請求項５に記載の通気層。
【請求項１０】
前記水素生成配合には固体酸が添加され、前記固体酸は固体クエン酸、固体乳酸、固体シュウ酸、固体塩酸、固体フィチン酸、及び固体ケイ酸からなる群から選択されて、ｐＨ値が４〜９である請求項５に記載の通気層。
【請求項１１】
前記水素生成配合は、高吸水性ポリマー、活性化剤、または触媒を更に含む請求項１に記載の通気層。
【請求項１２】
前記薄層は、酸素ガス及び活性酸素生成ユニットを更に含む請求項１に記載の通気層。
【請求項１３】
前記通気層は衛生用品に使用され、前記衛生用品はアイマスク、マスク、フェイスピースマスク、パック、ブラ、ニプレス、母乳パッド、生理用ナプキン、おむつ、パンティーライナー、創傷被覆材、絆創膏、包帯ガーゼ、床ずれマットレス、外用シートを含む請求項１に記載の通気層。
【請求項１４】
水素生成配合及び酸素生成配合を包み、外側が不通気性で、内側が通気性であり、内側の表面が複数の細孔を有し、単層または複合層である薄層を含有し、
前記水素生成配合は散逸しないように前記薄層に包まれ、空気の中の水分または液体水を吸収して、水素ガスを生成し、前記水素ガスは前記複数の細孔を通して肌へ放出し、
前記酸素生成配合は散逸しないように前記薄層に包まれ、空気の中の水分または液体水を吸収して、酸素ガスを生成し、前記酸素ガスは前記複数の細孔を通して肌へ放出して炎症を抑制する、
外用シート。
【請求項１５】
前記薄層の内側の材質は、シリカゲル、不織布、またはプラスチック通気性フィルムである請求項１４に記載の外用シート。
【請求項１６】
前記薄層の外側の材質は、ポリプロピレン、ポリエチレンプラスチックフィルム、アルミニウム膜、または複合膜である請求項１４に記載の外用シート。
【請求項１７】
前記水素生成配合及び前記酸素生成配合は、粉末状や顆粒状である請求項１４に記載の外用シート。
【請求項１８】
前記水素生成配合は、金属過酸化物、金属水酸化物、または金属水素化物及びアルミニウム粉やシリカ粉末を含む請求項１４に記載の外用シート。
【請求項１９】
重量比は、金属過酸化物または金属水酸化物：アルミニウム粉＝１：１００〜１００：１である請求項１８に記載の外用シート。
【請求項２０】
前記金属過酸化物は過酸化カルシウム、過酸化マグネシウム、過酸化ナトリウム、過酸化カリウムからなる群から選択される請求項１８に記載の外用シート。
【請求項２１】
前記金属水酸化物は水酸化カルシウム、水酸化マグネシウム、水酸化ナトリウム、水酸化カリウムからなる群から選択される請求項１８に記載の外用シート。
【請求項２２】
前記金属水素化物は水素化マグネシウム、水素化カルシウム、水素化ケイ素からなる群から選択される請求項１８に記載の外用シート。
【請求項２３】
前記水素生成配合には固体酸が添加され、前記固体酸は固体クエン酸、固体乳酸、固体シュウ酸、固体塩酸、固体フィチン酸、及び固体ケイ酸からなる群から選択されて、ｐＨ値が４〜９である請求項１８に記載の外用シート。
【請求項２４】
前記酸素生成配合は金属過酸化物であり、過酸化カルシウム、過酸化マグネシウム、過酸化ナトリウム、過酸化カリウムからなる群から選択される請求項１４に記載の外用シート。
【請求項２５】
前記酸素生成配合と前記水素生成配合との重量比は１：１〜１：５０である請求項１４に記載の外用シート。
【請求項２６】
前記炎症は無菌性炎症である請求項１４に記載の外用シート。
【発明の詳細な説明】
【技術分野】
【０００１】
本発明は、水素ガスを皮膚又は人体の内部に供給して、刺激性がなく、優れた拡散力を有し、反応が有害な副生成物を生じない等の利点を有する水素ガスによって、健康、疾患改善の用途を達成可能な、水素を生成する配合を含む通気層を提供する。また、本発明は生活健康分野に属する。
【背景技術】
【０００２】
水素ガス（Ｈ２）は無色無臭のガスであり、１９７５年、ある研究報告では「水素ガスは抗酸化ガスとしてがんを治療できる」旨を示し、２００７年、日本の学者が水素ガスで有毒な遊離基を中和して脳虚血再灌流障害を治療した。その後、多くの研究で多種の疾患及び障害に対して、水素ガスには治療効果があることが確認された。
水素ガスは選択的に遊離基を中和することができ、抗酸化、抗炎症及び抗アポトーシス等の効果を生じ、体内で生理作用がある活性酸素に影響しないとのことで、例えば超酸化物陰イオンと過酸化水素等、水素ガスを安全に人体に使用することが可能である。水素ガスのもう一つの利点は強い拡散力を有し、細胞膜および種々な生物学的障壁がいずれも水素ガスの拡散浸透に影響せずに、身体のあらゆる部位に届けられる点であり、脳卒中、糖尿病、動脈硬化、パーキンソン病等の一般的な急性及び慢性疾患に対して治療作用があると思われている。
【０００３】
水素ガスは、水素ガスの吸入、水素水の飲用または水素生理食塩水の注入等の方法を介して利用できる。水素ガスを吸入すると、脳卒中、心筋梗塞等神経、心血管疾患に対して改善作用を有し、また、水素水の飲用は糖尿病及び代謝性疾患に対して治療効果があることが報道された。さらに、動物モデルでは、水素水を飲用され、過敏性疾患例えばアトピー性湿疹を改善できることも立証され、また、網膜症の眼球に飲用水素水を直接注入する場合、眼底の疾患を治療することができる。
日本の鹿児島大学とインドネシアのサムラトランギ大学との協力で、高濃度水素水を用いて抗がん剤である５−フルオロウラシルと併用し、細胞及び動物モデルを利用した二つのモデルによって、水素ガスは腫瘍のアポトーシスを促進できるだけでなく、５−フルオロウラシルの抗腫瘍効果を著しく増加させ、腫瘍を患う動物の寿命を延長することができることを立証した。
【０００４】
現在一般的な水素ガスの供給方式には、水素水または高圧水素ガスタンクが含まれている。水素水の場合、水素ガスを水に溶け込ませるには、まず水素製造器が必要であるが、体積が大きいと共に消費電力もかかり、且つ生成された水素水の保存が困難である。高純度の水素ガスを補充する場合、普段は高圧水素ガスボンベを使用するが、体積、重量による持ち運び不便の問題以外、高圧ガスボンベがある潜在的な安全上の危険も使用への懸念がある。水素製造器及び高圧水素ガスボンベは持ち運び不便のため、推進が困難であり、水素ガスの実際応用が制限されている。
以上より、何時でも何処でも使用に便利な水素ガスを提供すること、及び無菌性炎症を容易に解決できると共に健康効果も発揮することが、本発明が解決すべき課題である。
【０００５】
肌に密着する様々な衛生用品（マスク、フェイスピースマスク、パックなどを含む）が市販されており、肌に直接接触するため、着用や使用の快適さ及び便利さが常に標榜されている。さらに、近年、当業者は他と合併して効果を達成できるように、改善及び突破を求め、例えば内部の材料を反応させることによって、人体に酸素など有益なガスを提供している。しかしながら、ガスの供給は材料間の内部の化学作用であって、健康効果を向上させるため、より多くの材料を含有させるか、または、同時により多種類の材料を組み合わせて含ませる必要があり、材料散逸や不安全な副生成物のリスクがさらに生じる。
【発明の概要】
【発明が解決しようとする課題】
【０００６】
本発明が解決しようとする課題は、衛生用品から水素ガスを供給できる通気層を提供することである。
【課題を解決するための手段】
【０００７】
本発明者らは、前記課題を解決するために鋭意検討した結果、水素生成配合を包み、外側が不通気性で、内側が通気性であり、内側の表面が複数の細孔を有し、単層または複合層である薄層を含有し、前記水素生成配合は散逸しないように前記薄層に包まれ、空気の中の水分または液体水を吸収して、水素ガスを生成し、前記水素ガスは前記複数の細孔を通して、肌や人体の内部へ放出する水素ガス供給通気層を提供する。
【０００８】
本発明の目的を達成するために、前記薄層の内側の材質は、シリカゲル、不織布、またはプラスチック通気性フィルムである。  
【０００９】
本発明の目的を達成するために、前記薄層の外側の材質は、ポリプロピレン、ポリエチレンプラスチックフィルム、アルミニウム膜、または複合膜である。
【００１０】
本発明の目的を達成するために、前記水素生成配合は、粉末状や顆粒状である。
【００１１】
本発明の目的を達成するために、前記水素生成配合は、金属過酸化物、金属水酸化物、または金属水素化物及びアルミニウム粉やシリカ粉末を含む。
【００１２】
本発明の目的を達成するために、重量比は金属過酸化物または金属水酸化物：アルミニウム粉＝１：１００〜１００：１であり、好ましくは１：１０〜１０：１である。
【００１３】
本発明の目的を達成するために、前記金属過酸化物は過酸化カルシウム、過酸化マグネシウム、過酸化ナトリウム、過酸化カリウムからなる群から選択され、前記金属水酸化物は水酸化カルシウム、水酸化マグネシウム、水酸化ナトリウム、水酸化カリウムからなる群から選択され、前記金属水素化物は水素化マグネシウム、水素化カルシウム、水素化ケイ素からなる群から選択される。
【００１４】
本発明の目的を達成するために、前記水素生成配合には固体酸が添加され、前記固体酸は固体クエン酸、固体乳酸、固体シュウ酸、固体塩酸、固体フィチン酸、及び固体ケイ酸からなる群から選択される。
【００１５】
本発明の目的を達成するために、前記水素生成配合は、高吸水性ポリマー、活性化剤、または触媒を更に含む。
【００１６】
本発明の目的を達成するために、前記薄層は、酸素ガス及び活性酸素の生成ユニットを更に含む。
【００１７】
本発明の目的を達成するために、前記通気層は衛生用品に使用され、前記衛生用品はアイマスク、マスク、フェイスピースマスク、パック、ブラ、ニプレス、母乳パッド、生理用ナプキン、おむつ、パンティーライナー、創傷被覆材、絆創膏、包帯ガーゼ、床ずれマットレス、外用シートを含む。
【００１８】
本発明のもう一つの目的は、水素生成配合及び酸素生成配合を包み、外側が不通気性で、内側が通気性であり、内側の表面が複数の細孔を有し、単層または複合層である薄層を含有し、前記水素生成配合は散逸しないように前記薄層に包まれ、空気の中の水分または液体水を吸収して、水素ガスを生成し、前記水素ガスは前記複数の細孔を通して肌へ放出し、前記酸素生成配合は散逸しないように前記薄層に包まれ、空気の中の水分または液体水を吸収して、酸素ガスを生成し、前記酸素ガスは前記複数の細孔を通して肌へ放出して炎症を抑制する外用シートを提供する。
【００１９】
本発明の目的を達成するために、前記薄層の内側の材質は、シリカゲル、不織布、またはプラスチック通気性フィルムである。
【００２０】
本発明の目的を達成するために、前記薄層の外側の材質は、ポリプロピレン、ポリエチレンプラスチックフィルム、アルミニウム膜、または複合膜であり、前記水素生成配合及び前記酸素生成配合は、粉末状や顆粒状である。
【００２１】
本発明の目的を達成するために、前記水素生成配合は、金属過酸化物、金属水酸化物、または金属水素化物及びアルミニウム粉やシリカ粉末を含む。
【００２２】
本発明の目的を達成するために、重量比は金属過酸化物または金属水酸化物：アルミニウム粉＝１：１００〜１００：１であり、好ましくは１：１０〜１０：１である。
【００２３】
本発明の目的を達成するために、前記金属過酸化物は過酸化カルシウム、過酸化マグネシウム、過酸化ナトリウム、過酸化カリウムからなる群から選択される。
【００２４】
本発明の目的を達成するために、前記金属水酸化物は水酸化カルシウム、水酸化マグネシウム、水酸化ナトリウム、水酸化カリウムからなる群から選択される。
【００２５】
本発明の目的を達成するために、前記金属水素化物は水素化マグネシウム、水素化カルシウム、水素化ケイ素からなる群から選択される。前記水素生成配合には固体酸が添加され、前記固体酸は固体クエン酸、固体乳酸、固体シュウ酸、固体塩酸、固体フィチン酸、及び固体ケイ酸からなる群から選択されて、ｐＨ値が４〜９である。
【００２６】
本発明の目的を達成するために、前記酸素生成配合は金属過酸化物であり、過酸化カルシウム、過酸化マグネシウム、過酸化ナトリウム、過酸化カリウムからなる群から選択される。
【００２７】
本発明の目的を達成するために、前記酸素生成配合と前記水素生成配合との重量比は１：１〜１：５０である。
【００２８】
本発明の目的を達成するために、前記炎症は無菌性炎症である。
【発明の効果】
【００２９】
本発明は水素生成配合が含まれる通気層であり、短時間で大量な水素ガスを生成することができ、人体の肌、鼻孔、口腔、目、または他接触の人体部位へ供給することによって、以下の利点及び効果を奏する。
（１）安全便利に使用できる
・ボンベやパイプラインまたはプラグインが必要ないので、持ち運びやすく、且つ配合は無害のため、肌に密着して使用できる。
（２）有害な副生成物を生じない
（３）肌に近いため吸収されやすい
（４）水素ガスの健康に対する幅広い用途
・優れた拡散力を持っており、部位に限らずに全身に及ぶ。
・無毒で、優しくて安全な還元剤である。
・遊離基を中和でき、抗酸化・抗炎症・特に無菌性炎症に対して優れた効果がある。
・体内の細菌叢を整える。
（５）酸素の添加は、従来の包帯を長時間使用に伴う酸素欠乏の問題を更に改善できる。
【００３０】
本発明は、通気層の最も良い健康効果を得るために、必要な水素生成配合・酸素生成配合の最適な比率と用量、通気層を衛生用品に使用する例、及び本発明の拡大応用を更に開示する。    
【図面の簡単な説明】
【００３１】
【図１】本発明の水素ガスを供給する通気層を示す図である。
【図２】本発明の通気層の分解斜視図である。
【図３】本発明の通気層の断面図である。
【図４】本発明の通気層をアイマスクに応用する模式図である。
【図５Ａ】本発明の通気層をマスクに応用する模式図である。
【図５Ｂ】本発明の通気層をマスクに応用する模式図である。
【図６】本発明の通気層をパックに応用する模式図である。
【図７】本発明の通気層を創傷被覆材に応用する模式図である。
【図８Ａ】本発明の外用シートを痛風の患部に使用する前の写真である。
【図８Ｂ】本発明の外用シートを痛風の患部に２時間使用した効果の写真である。
【図８Ｃ】本発明の外用シートを痛風の患部に３時間使用した効果の写真である。
【図８Ｄ】本発明の外用シートを痛風の患部に４日目使用した効果の写真である。
【図９】本発明の外用シートを足首痛に応用する模式図である。
【図１０】本発明の外用シートを生理痛に応用する模式図である。
【発明を実施するための形態】
【００３２】
以下の実施形態について本発明を例示的に説明するが、本発明は以下の実施形態に限定されるものではない。以下、本発明の水素ガスを供給する通気層の特徴、応用及び利点を具体的に説明する。但し、特許請求の範囲に記載された本発明の精神を逸脱しない範囲で、実施の形態を変形することが可能であり、そのような実施の形態は本発明の範囲に属するものである。
【００３３】
図１〜図３に示すように、本発明は、水素生成配合を包み、外側が不通気性で、内側が通気性であり、内側の表面が複数の細孔１１１を有し、単層または複合層である薄層１１、及び散逸しないように前記薄層１１に包まれ、空気の中の水分または液体水を吸収して、水素ガスを生成する水素生成配合１２を含有する通気層１を提供する。
図２に示すように、前記水素ガスは前記複数の細孔１１１を通して、肌、鼻孔、口腔、目、他接触の人体部位経由で、人体の内部に吸収される。
【００３４】
本発明は、外側が不通気性で内側が通気性である前記薄層１１によって、水素生成配合１２を包み、前記薄層の内側の細孔１１１の細孔径が前記水素生成配合１２の直径より小さいため、前記水素生成配合１２が漏れないことを保証する。なお、前記薄層１１の外側は不通気性の材質で、内側は肌にやさしい材料である。
【００３５】
保存する時は、気密材料で包装して、空気の中の水分が先に前記水素生成配合１２と反応しないように保証する。使用する時は、気密包装を外して、必要な部位に応用する。
前記通気層１を使用することによって、外側の不通気性の材質を介して汗、湿気等の水分を滞留させて漏れないようにするため、前記水素生成配合１２を十分に反応させるとともに、肌に向けて水素ガスを供給する。
【００３６】
前記水素生成配合１２を包む前記薄層１１の内側の材質は、シリカゲル、不織布、またはプラスチック通気性フィルムであり、外側の材質は、ポリプロピレン、ポリエチレンプラスチックフィルム、アルミニウム膜、または複合膜である。
【００３７】
前記水素生成配合１２は、粉末状や顆粒状であり、金属過酸化物、金属水酸化物、または金属水素化物及びアルミニウム粉やシリカ粉末を含む。
【００３８】
前記金属過酸化物は過酸化カルシウム、過酸化マグネシウム、過酸化ナトリウム、過酸化カリウムからなる群から選択され、前記金属水酸化物は水酸化カルシウム、水酸化マグネシウム、水酸化ナトリウム、水酸化カリウムからなる群から選択される。
【００３９】
前記水素生成配合１２は、水分によって生成される金属水酸化物の化合物を含めても良い。例えば、水素化マグネシウム、水素化カルシウム、水素化ケイ素である。
【００４０】
前記水素生成配合１２には、固体酸を選択的に添加して中和反応を起こさせることができ、ｐＨ値を４〜９にさせて、肌に刺激を与えないようにして、水素ガスの吸収効果を向上する。前記固体酸は固体クエン酸、固体乳酸、固体シュウ酸、固体塩酸、固体フィチン酸、及び固体ケイ酸からなる群から選択される。
【００４１】
以下の反応式は水素生成配合が水素ガスを供給する機構である。
【００４２】
金属過酸化物の場合、まずは水と反応して金属水酸化物を生成しつつ、酸素ガスを放出する。反応式は以下の通りである。
２ＸＯ２＋２Ｈ２Ｏ→２Ｘ（ＯＨ）２＋Ｏ２（Ｘはカルシウム、マグネシウム）
または
２Ｙ２Ｏ２＋２Ｈ２Ｏ→４Ｙ（ＯＨ）＋Ｏ２（Ｙはナトリウム、カリウム）
【００４３】
金属水酸化物はアルミニウム粉と反応して水素ガスを生成することができる。反応式は以下の通りである。
２Ａｌ＋２Ｈ２Ｏ＋Ｘ（ＯＨ）２＝Ｘ（ＡｌＯ２）２＋３Ｈ２
２Ａｌ＋２Ｈ２Ｏ＋２Ｙ（ＯＨ）＝２ＹＡｌＯ２＋３Ｈ２
【００４４】
金属水素化物は水と反応することによって、水素ガス及び金属水酸化物を生成し、金属水酸化物がまた水と反応して、水素ガスを連続的に生成する。
【００４５】
前記の反応で、大量の水素ガスを早く生成する場合、活性が大きいアルカリ金属（ＩＡ族）（即ちナトリウムまたはカリウム）の過酸化物または水酸化物を選択して反応物にすることができる。
【００４６】
前記例示した水素生成配合の組み合わせ応用を介して、当業者はケイ素と水酸化物や水とを反応させて水素ガスを生成する応用も連想できる。これは本発明の組み合わせ同等の実施であり、本発明の水素生成配合の特許請求の範囲内に含まれるべきである。その反応式は以下の通りである。
Ｓｉ＋４Ｈ２Ｏ＝Ｈ４ＳｉＯ４＋２Ｈ２
Ｈ４ＳｉＯ４＋２ＮａＯＨ＝Ｎａ２ＳｉＯ３＋３Ｈ２
【００４７】
被覆材が肌に長時間接触することで、外側の不通気性による酸素欠乏が起こる不快感を防ぐため、前記薄層１１に酸素生成配合１３を更に添加しても良い。前記酸素生成配合１３は粉末状や顆粒状であり、金属過酸化物または金属超酸化物を含む。
【００４８】
金属過酸化物は水と反応することによって、酸素ガスを放出し、反応式は以下の通りである。
２ＸＯ２＋２Ｈ２Ｏ→２Ｘ（ＯＨ）２＋Ｏ２（Ｘはカルシウム、マグネシウム）
または
２Ｙ２Ｏ２＋２Ｈ２Ｏ→４Ｙ（ＯＨ）＋Ｏ２（Ｙはナトリウム、カリウム）
【００４９】
用量のより好ましい比率を明確にするため、０．０１〜１００ｇの範囲での各反応物について、それぞれの水素ガス生成効率を測定する。
前記水素生成配合の重量比は、金属過酸化物または金属水酸化物：アルミニウム粉＝１：１００〜１００：１の場合、反応が行われ、水素ガスを生成することができる。また、重量比が１：１０〜１０：１の場合、最適な水素ガス生成効率を有する。更に、酸素ガスを生成して薄層１の外に流出するには、前記酸素生成配合と前記水素生成配合との重量比は１：１〜１：５０である。
【００５０】
前記通気層は衛生用品に応用され、肌に密着して使用することができる。前記衛生用品としては、特に限定されないが、アイマスク（図４）、マスク（図５Ａ、図５Ｂ）、フェイスピースマスク、パック（図６）、ブラ、ニプレス、母乳パッド、生理用ナプキン、おむつ、パンティーライナー、創傷被覆材（図７）、絆創膏、包帯ガーゼ、床ずれマットレス、外用シート等が挙げられる。
【００５１】
以下、神経疾患、最近放射線療法を受けた人、便秘、紫外線損傷、目の疲れ、目の不快症状、外傷等に係る各疾患、症状のある被験者を募集し、前記通気層を含有するマスク、アイマスク、パックまたは創傷被覆材等の衛生用品を配布し、一回に二時間、週三回、３ヶ月持続的に使用させて、終了後アンケートを記入させる。
前記通気層の水素生成配合が各衛生用品に応用された場合、各疾患、症状に対しての改善効果及び使用快適性を調査し、１〜１０を採点基準にして、点数が高いほど効果が著しい。同時に、市販のガスを生成する材料が含まれていない一般的な商品（以下「市販」と略称する）及びアルミニウム粉が含まれていない（水素ガスを生成しない）グループと対照して、各採点統計の平均結果を以下にそれぞれ示す。前記通気層の水素生成配合は上記の最適な比率（金属過酸化物または金属水酸化物：アルミニウム粉＝１００：８０〜１２０）に基づいて、対応する衛生用品の含有量を調整する。
【００５２】
実施形態１：マスク
【００５３】
被験グループ及びその結果は以下表１の通りである。金属過酸化物は過酸化カルシウム、金属水酸化物は水酸化カルシウム、それぞれ１０ｇであり、アルミニウム粉は１ｇ、クエン酸は適量である。また、肌の水分または添加水を介して水素ガスを生成する。
【００５４】
結果によると、本発明の水素生成配合は神経疾患、放射線療法の副作用、便秘等の疾患／症状を改善でき、これらの効果は市販のマスクや酸素ガスしか生成しない（アルミニウム粉が含まれていない）グループが、いずれも達成できない。なお、本発明の各組み合わせは、いずれも市販のマスクより高い快適性を有し、また、過酸化物、水酸化物、及び固体酸を同時に有する場合、より快適である。  
【００５５】
【表１】
2020116367.tif 000003
【００５６】
実施形態２：アイマスク
【００５７】
被験グループ及びその結果は以下表２の通りである。金属過酸化物は過酸化ナトリウム、金属水酸化物は水酸化ナトリウム、１〜１０ｇを使用して、アルミニウム粉は１０ｇ、シュウ酸は適量である。また、添加水を介して水素ガスを生成する。
【００５８】
結果によると、本発明の水素生成配合は、目の疲れ、目の疾患等を改善でき、市販のアイマスクまたはアルミニウム粉（水素ガスを生成しない）が含まれていないグループと比べると、いずれもより良い結果を有する。なお、本発明の各組み合わせは、いずれも市販のアイマスクより高い快適性を有する。また、過酸化物、水酸化物、及び固体酸を同時に有する場合、快適性が向上される。更に、酸素生成配合を同時に添加すると、外用シートの長時間使用に伴う酸素欠乏が起こる不快感を防ぐことができる。
【００５９】
【表２】
2020116367.tif 000004
【００６０】
実施形態３：パック
【００６１】
被験グループ及びその結果は以下表３の通りである。金属過酸化物は過酸化マグネシウム、金属水酸化物は水酸化マグネシウム、それぞれ１２．５ｇであり、シリカ粉末は６．２５ｇ、固体乳酸は適量である。また、添加水を介して水素ガスを生成する。
【００６２】
結果に示すように、市販のパックまたはアルミニウム粉（水素ガスを生成しない）が含まれていないグループと比べると、本発明の水素生成配合は、紫外線損傷、放射線療法の副作用、神経疾患等を改善する効果を有する。なお、本発明の各組み合わせは、いずれも市販のパックより高い快適性を有する。また、過酸化物、水酸化物、及び固体酸を同時に有する場合、より快適である。
【００６３】
【表３】
2020116367.tif 000005
【００６４】
実施形態４：創傷被覆材
【００６５】
被験グループ及びその結果は以下表４の通りである。金属過酸化物は過酸化カリウム、金属水酸化物は水酸化カリウム、それぞれ２．５ｇであり、アルミニウム粉は２．５ｇ、固体フィチン酸は適量である。なお、創傷被覆材は水分を吸収することにより、水素ガスを生成することができることで、更に水分が創傷部へ逆流して放出されないように保持できる。また、前記通気層の気体のみ流通させる設計によって、水素ガスを供給すると共に創傷部が再度感染することを防ぐ改善効果を得る。
【００６６】
結果に示すように、市販の創傷被覆材またはアルミニウム粉（水素ガスを生成しない）が含まれていないグループと比べると、本発明の水素生成配合は、紫外線損傷、放射線療法の副作用、創傷部の治癒等を改善する効果を有する。なお、本発明の各組み合わせは、いずれも市販の創傷被覆材より高い快適性を有し、更に、過酸化物、水酸化物、及び固体酸を同時に有する場合、より快適である。
【００６７】
【表４】
2020116367.tif 000006
【００６８】
実施形態５：外用シート
【００６９】
外用シートが肌に長時間接触することで、酸素欠乏が起こる不快感を防ぐため、本発明の外用シートに酸素生成材料‐過酸化物を更に添加して、より多い酸素ガスを生成させる。外用シートは水分を吸収することによって水素ガス、酸素ガスを生成でき、更に水分が創傷部へ逆流して放出されないように保持できる。また、前記通気層の気体のみ流通させる設計によって、水素ガスを供給すると共に肌及び創傷部の酸素欠乏が起こる不快感を防ぐ改善効果を得る。
【００７０】
実施形態５−１：痛風
【００７１】
図８に示すように、５５歳の男性被験者が痛風の発作で、右足の親指が赤い腫れがあり、激痛も伴っていた（図８Ａ）。本発明の外用シートに水をスプレーして赤く腫れる患部に貼って、一時間後、痛みが著しく緩和され、一時間毎に外用シートを変えた。図８Ｂは二つ目の外用シートを使用した。図８Ｃは三つ目の外用シートを使用した後、痛風の患部の腫れが約４０％抑えられた。毎日三つの外用シートを使用して、１０枚使用した後（４日目）、痛風の患部の腫れが著しく抑えられて（図８Ｄ）、且つ外用シートの接触による皮膚の過敏等の不快感もなかった。本発明の外用シートは酸化カルシウム２．５ｇ、アルミニウム粉１．５ｇを含み、大量の水素ガスと大量の酸素ガスを生成できる。
【００７２】
実施形態５−２：足首痛
【００７３】
６５歳の男性被験者は足首を捻挫して痛みが出て、歩くときの痛みが酷くなり、痛くて歩きづらいとのことであったため、捻挫４日後に本発明の外用シートを使用した。図９に示すように、本発明の外用シートに水をスプレーして足首の痛み部位に貼って、１０分後痛みが著しく（半分くらい）に緩和され、２０分後痛みが著しく（約７０％）緩和され、一時間後痛みを感じなくなり、しかも、普通に歩けるようになった。また、外用した後は、外用シートの接触による皮膚の過敏等の不快感がなかった。
【００７４】
実施形態５−３：頚椎痛
【００７５】
２０年以上の頚椎痛に悩まされる６０歳の男性被験者は、本発明の外用シートに水をスプレーして頚椎に貼って、３０分後、痛みが著しく緩和され、且つ外用シートの接触による皮膚の過敏等の不快感がなかった。
【００７６】
実施形態５−４：生理前の乳房の張り痛み
【００７７】
月経前症候群例えば生理前の乳房の張り痛み等がある２１歳の女性被験者は生理前に乳房が張り痛い時、本発明の外用シートに水をスプレーして乳房前に貼って、一時間後、痛みが著しく緩和され、且つ外用シートの接触による皮膚の過敏等の不快感がなかった。本発明の外用シートは過酸化カルシウム２．５ｇ、アルミニウム粉１．５ｇを含み、大量の水素ガスと大量の酸素ガスを生成できる。
【００７８】
実施形態５−５：生理痛
【００７９】
３０歳の女性被験者は子宮内膜症があり、生理の時はいつも生理痛がある状況である。図１０に示すように、生理で痛いとき、本発明の外用シートに水をスプレーしてへその周りの位置に貼って、１０分後、痛みが著しく緩和されて、外用シートを毎日８時間、３日持続的に使用し、外用シートの接触による皮膚の過敏等の不快感がなかった。本発明の外用シートは過酸化マグネシウム１ｇ、水酸化カリウム１．５ｇ、アルミニウム粉１．５ｇ、フィチン酸適量を含み、大量の水素ガスと大量の酸素ガスを生成できる。
【００８０】
実施形態５−６：寛骨痛
【００８１】
長期の寛骨痛に悩まされる５５歳の男性被験者は、本発明の外用シートに水をスプレーして寛骨痛の部位に貼って、２０分後、痛みが著しく緩和され、且つ外用シートの接触による皮膚の過敏等の不快感がなかった。
【００８２】
結果に示すように、市販の外用シートと比べると、本発明の水素生成配合と酸素生成配合との組み合わせを外用に用いれば、筋肉、骨格、内臓の奥の炎症や痛みを効果的に改善でき、且つ酸素ガスを供給することによって、外用シートの接触による皮膚の過敏等の不快感がない。
【００８３】
なお、生理用ナプキン等の液体を漏出させない必要がある場合、高分子吸収材料（即ち高吸水性ポリマー）を同時に加えても良い。よって、液体が吸収され、水素ガスを生成させると共に、液体の逆流による皮膚の感染や炎症を防ぐ二重効果を同時に達成する。
【００８４】
要約すれば、本発明の通気層は、いずれの水素生成配合の組み合わせにしても、衛生用品に応用すると、いずれも神経疾患、放射線療法の副作用、便秘、紫外線損傷、目の疲れ、目の不快症状、創傷部の治癒を改善でき、水素ガスの抗酸化効果及び体内の細菌叢を整える効果によって、従来の衛生用品に限られた機能範囲を突破する。
酸素ガスの生成のみ（アルミニウム粉が含まれていない）のグループと比べると、本発明の水素生成配合の応用は、より優れていて、幅広い多様性の健康効果を達成でき、有利な効果を有する。酸素ガスを同時に生成することによって、酸素生成配合が含まれていない市販品と比べると、より高い快適性を有し、息苦しくならず、使用の快適性を向上する。過酸化物、水酸化物及び固体酸を同時に添加する場合、最適な疾患、症状及び快適性の効果を達成することができる。
【００８５】
総合的に言えば、本発明は、短時間に大量な水素ガス、酸素ガスを生成して、人体の肌、鼻孔、口腔、目、または他接触の人体部位へ供給し、一般的な水素ガス生成方法や器具と比べると、ボンベやパイプライン、製造機またはプラグインが必要ない利点がある。また、持ち運びやすくて、配合が無害のため、肌に密着して使用でき、且つ水素ガスの生成は有害な副生成物を生じない等の最適化効果を有する。
【００８６】
さらに、水素ガスは、構造が簡単のため、優れた拡散力を持っており、部位に限らずに全身に及ぶ。また、無毒で、優しくて安全な還元剤であり、優れた遊離基を除去する効果や、体内の細菌叢を整える等の利点を有し、従来の衛生用品の健康用途と比べると、より幅広い且つ効果が向上される利益を得ることができる。
【００８７】
本発明に挙げた疾患は、水素ガスが遊離基を除去することにより、対応する疾患である。本発明の実施形態によって、合理的に本発明の通気層をこれらの原因による他の疾患をいずれも改善できる。例えば、がん、化学療法の副作用、代謝性疾患、免疫疾患、過敏、糖尿病、体重管理、結腸炎または他無菌性炎症が起こる炎症等。
【００８８】
水素ガスの生成効果を向上するため、前記水素生成配合は、情況により、高吸水性ポリマー、活性化剤、または触媒を更に含めても良い。なお、酸素ガス及び活性酸素を生成できる生成ユニットを更に含み、必要に応じて比率を調整し、所定の効果を達成することができる。
【００８９】
上記詳細説明により、本発明の実施可能な実施形態を具体的に説明したが、前記実施形態は本発明の特許請求の範囲を限定するものではない。特許請求の範囲に記載された本発明の精神を逸脱しない範囲で、実施の形態を変形することが可能であり、そのような実施の形態は本発明の範囲に属するものである。
【００９０】
上記様々な効果は、規定された新規性及び進歩性の特許性要件を実質的に満たしており、特許法の規定にも合致しているため法に従って出願する。本発明の特許出願を審査の上、許可されたく願う次第である。
【産業上の利用可能性】
【００９１】
本発明は、微環境水素ガス供給通気層及びその用途に関するものであり、産業上の利用可能性を有する。
【符号の説明】
【００９２】
１  通気層
１１  薄層
１１１  細孔
１２  水素生成配合
【図１】
2020116367.tif 000007
【図２】
2020116367.tif 000008
【図３】
2020116367.tif 000009
【図４】
2020116367.tif 000010
【図５Ａ】
2020116367.tif 000011
【図５Ｂ】
2020116367.tif 000012
【図６】
2020116367.tif 000013
【図７】
2020116367.tif 000014
【図８Ａ】
2020116367.tif 000015
【図８Ｂ】
2020116367.tif 000016
【図８Ｃ】
2020116367.tif 000017
【図８Ｄ】
2020116367.tif 000018
【図９】
2020116367.tif 000019
【図１０】
2020116367.tif 000020